(57)【要約】【課題】  乳幼児が身にまとう乳幼児用衣服と、母親等が使用できる乳母車用防寒手袋とを兼用できるようにする。【解決手段】  乳幼児用衣服となる乳母車用防寒手袋１０は、防寒手袋として使用するときには母親の両手首および甲の部分を覆う一対の手首カバーとなる一対の筒状部１１と、一対の筒状部１１間を連結し、乳母車１のハンドル部材４に巻き付けられて一対の筒状部１１を車体に取付けるように作用する連結部１２とを備える。乳幼児用衣服として使用するときには、一対の筒状部１１は乳幼児の両腕を覆う一対の袖部となり、連結部１２は乳幼児の背面に位置する後身頃となる。【選択図】      図２
2005120522.tif 000002
【特許請求の範囲】
【請求項１】
乳幼児用衣服として使用するときには乳幼児の両腕を覆う一対の袖部となり、防寒手袋として使用するときには両手首および甲を覆う一対の手首カバーとなる一対の筒状部と、
前記一対の筒状部間を連結するものであり、乳幼児用衣服として使用するときには乳幼児の背面に位置する後身頃となり、防寒手袋として使用するときには乳母車の車体を構成する部材に巻き付けられて前記一対の筒状部を車体に取付けるように作用する連結部とを備える、乳幼児用衣服となる乳母車用防寒手袋。
【請求項２】
前記連結部は、幅方向に延びるハンドル部材に巻き付けられる、請求項１に記載の乳幼児用衣服となる乳母車用防寒手袋。
【請求項３】
前記連結部は、座席の前方位置において幅方向に延びる前ガード部材に巻き付けられる、請求項１に記載の乳幼児用衣服となる乳母車用防寒手袋。
【請求項４】
前記連結部は、乳母車車体への取付けを実現するための連結手段を含む、請求項１〜３のいずれかに記載の乳幼児用衣服となる乳母車用防寒手袋。
【発明の詳細な説明】
【技術分野】
【０００１】
この発明は、乳母車に取付けられる防寒具に関し、特に乳母車を移動操作する人の手や、乳母車に乗せられている乳幼児の手を寒さから守るための防寒手袋に関するものである。
【背景技術】
【０００２】
冬の寒い日に乳母車を移動操作するとき、両手が冷たくて辛いことがある。そのような場合、一般的には両手に手袋を嵌めて乳母車を移動操作する。しかしながら、手袋を介して乳母車のハンドル部材を掴むと滑りやすくなるので、そのような手袋を嵌めるのは避けたい。
【０００３】
ところで、育児器具の一種である乳母車においては、親と子の絆を深め、親子の愛情を育むために、座席に着座した乳幼児と、乳母車を移動操作する母親等とが共有し合えるようなものを提供したい。
【発明の開示】
【発明が解決しようとする課題】
【０００４】
この発明の目的は、乳幼児が身にまとう乳幼児用衣服と、母親等が使用できる乳母車用防寒手袋とを兼用できるようにすることである。
【課題を解決するための手段】
【０００５】
この発明は、乳幼児用衣服となる乳母車用防寒手袋である。この防寒手袋は、一対の筒状部と、一対の筒状部間を連結する連結部とを備える。一対の筒状部は、乳幼児用衣服として使用するときには乳幼児の両腕を覆う一対の袖部となり、防寒手袋として使用するときには両手首および甲を覆う一対の手首カバーとなる。連結部は、乳幼児用衣服として使用するときには乳幼児の背面に位置する後身頃となり、防寒手袋として使用するときには乳母車の車体を構成する部材に巻き付けられて一対の筒状部を車体に取付けるように作用する。
【０００６】
上記構成の防寒手袋であれば、乳母車を使用しないときに乳幼児用衣服として利用することができるので、便利である。また、防寒手袋として使用するとき両手は筒状部を貫通するので、両手の指で直接乳母車の車体を掴むことができる。手首および甲の部分は筒状部に覆われ、指の部分は連結部によって覆われているので、両手を冷気から守ることができる。
【０００７】
一つの実施形態では、連結部は、幅方向に延びるハンドル部材に巻き付けられる。この場合、乳母車を移動操作する母親や父親が防寒手袋を使用し、乳母車を使用しないときにその防寒手袋を車体から取り外して乳幼児に衣服として着せることができる。したがって、親と子とが上記の防寒手袋を共有して使うことができる。
【０００８】
他の実施形態では、連結部は、座席の前方位置において幅方向に延びる前ガード部材に巻き付けられる。この場合、座席に着座した乳幼児が、前ガード部材に取付けられた防寒手袋の筒状部に両手を嵌め入れることになる。乳幼児は、筒状部を貫通する両手の指で直接前ガード部材を掴む。乳幼児の手首および甲の部分は筒状部に覆われ、指の部分は連結部によって覆われているので、両手を冷気から守ることができる。
【０００９】
好ましくは、連結部は、乳母車車体への取付けを実現するための連結手段を含む。
【発明を実施するための最良の形態】
【００１０】
図１は、一般的な乳母車１を示している。乳母車１は、移動操作のための押棒２と、座席の座部の両側部上方に位置する一対の手摺部材５と、座席の前方位置において幅方向に延びる前ガード部材６とを備える。押棒２は、上下方向に延びる一対の縦棒３と、一対の縦棒３の上端部間を連結するように幅方向に延びるハンドル部材４とを含む。前ガード部材６は、その両端が一対の手摺部材５の前方端に取り外し可能に連結されている。
【００１１】
乳母車１を移動操作する母親や父親は、その両手をハンドル部材４上に置く。また、座席に着座している乳幼児は、往々にして、その両手を前ガード部材６上に置く。
【００１２】
図２は乳母車１のハンドル部材４上に防寒手袋１０を取付けている状態を前方側から見た図であり、図３はそれを後方側から見た図である。防寒手袋１０は、例えば毛糸を編んで作られており、乳母車を移動操作する人の両手首および甲を覆う一対の筒状部１１と、この一対の筒状部１１間を連結する連結部１２とを備える。一対の筒状部１１は柔らかいのでハンドル部材４から下方に垂れ下がるが、図ではその形状をよりわかり易く示すために上方に立ち上がらせて図示している。
【００１３】
連結部１２は、ある程度広い面積で展開して広がる形状を有している。防寒手袋として使用するときには、連結部１２は、乳母車１のハンドル部材４に巻き付けられて一対の筒状部１１を車体に取付けるように作用する。図４および図５に示すように、連結部材１２の上下方向の一方端部にはボタン１３が付けられており、他方端部にボタン１３を嵌め入れるための穴１４が設けられている。図２に示す状態では、ボタン１３が穴１４に嵌っており、図４に示す状態では、ボタン１３が穴１４から外れている。
【００１４】
防寒手袋１０の連結部１２を乳母車車体に取付けるための手段としては、ボタン１３および穴１４に限定されるものではなく、いろいろな連結手段が考えられる。例えば、面ファスナや紐を用いて連結部１２の一方端と他方端とを接続するようにしてもよい。
【００１５】
乳母車１を移動操作する例えば母親は、その両手を一対の筒状部１１に嵌め入れ、両手の指で直接ハンドル部材４を掴む。母親の両手首および甲の部分は一対の筒状部１１によって覆われ、指の部分は連結部１２によって覆われるので、両手を冷気から守ることができる。
【００１６】
図示していないが、防寒手袋１０を乳母車１の前ガード部材６に取付けるようにしてもよい。その取付け方は、ハンドル部材４に取付ける場合と同じである。すなわち、防寒手袋１０の連結部１２を前ガード部材６に巻き付け、ボタン１３を穴１４に嵌めるようにする。前ガード部材６に防寒手袋１０を取付けた場合、座席に着座した乳幼児は、その両手を一対の筒状部１１に嵌め入れ、両手の指で前ガード部材６を掴むことができる。乳幼児の両腕、手首、甲の部分は一対の筒状部１１によって覆われ、指の部分は連結部１２によって覆われるので、両手を冷気から守ることができる。
【００１７】
図５は、防寒手袋１０を乳母車１のハンドル部材４から取り外した状態を示している。ボタン１３が穴１４から外されているので、連結部１２を上下に展開させることが可能である。連結部１２を展開させると、防寒手袋１０を乳幼児用衣服として使用することが可能になる。
【００１８】
図６は、防寒手袋１０を乳幼児用衣服として乳幼児の身体に着用させている状態を示しており、図７はその背面図である。図６および図７に示すように、防寒手袋１０の一対の筒状部１１は乳幼児の両腕を覆う一対の袖部となり、連結部１２は乳幼児の背面に位置する後身頃となる。袖部が長い場合には、図示するように先端部分を折り返す。
【００１９】
以上のように、図２〜図７に示した実施形態によれば、乳母車用防寒手袋としての使用、および乳幼児用衣服としての使用が可能になる。
【００２０】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００２１】
この発明は、乳母車用防寒手袋として利用することができるとともに、乳幼児用衣服としても利用することができる。
【図面の簡単な説明】
【００２２】
【図１】一般的な乳母車を示す斜視図である。
【図２】この発明の一実施形態である防寒手袋を乳母車のハンドル部材に取付けた状態を乳母車の前方から見た斜視図である。
【図３】図２の防寒手袋を乳母車の後方から見た斜視図である。
【図４】図２に示す状態から、ボタンを取り外した状態を示す図である。
【図５】防寒手袋を単独で示す図である。
【図６】防寒手袋を乳幼児用衣服として乳幼児に着用させている状態を示す正面図である。
【図７】防寒手袋を乳幼児用衣服として乳幼児に着用させている状態を示す背面図である。
【符号の説明】
【００２３】
１  乳母車、２  押棒、３  縦棒、４  ハンドル部材、５  手摺部材、６  前ガード部材、１０  乳母車用防寒手袋、１１  筒状部、１２  連結部、１３  ボタン、１４  穴。
【図１】
2005120522.tif 000003
【図２】
2005120522.tif 000004
【図３】
2005120522.tif 000005
【図４】
2005120522.tif 000006
【図５】
2005120522.tif 000007
【図６】
2005120522.tif 000008
【図７】
2005120522.tif 000009